(57)【要約】【課題】  遮光機能のみならず、明るさ調節機能をも併せ持つ育児器具用の頭部保護パッドを提供する。【解決手段】  頭部保護パッド１０は、子供の両側頭部に沿って位置する１対の側壁パッド部２１，２２および子供の頭頂部に沿って位置する上壁パッド部２３を有するパッド本体２０と、パッド本体２０の上端から上方に立ち上がって延びる幌部材３０とを備える。幌部材３０は、内側幌布３１と外側幌布３２とからなる２重構造を有している。内側幌布３１と外側幌布３２とは、材質が異なる。外側幌布３２は、内側幌布３１の全領域を覆う閉鎖位置から、内側幌布の全領域を開放する開放位置にまで畳むことができるようにされている。【選択図】      図１
2006273256.tif 000002
【特許請求の範囲】
【請求項１】
子供の頭部を保護するために自動車用子供座席の背もたれ部上に配置される頭部保護パッドであって、
子供の両側頭部に沿って位置する１対の側壁パッド部および子供の頭頂部に沿って位置する上壁パッド部を有するパッド本体と、
前記パッド本体の上端から上方に立ち上がって延びる幌部材とを備え、
前記幌部材は、内側幌布と外側幌布とからなる２重構造を有しており、
前記内側幌布と前記外側幌布とは、材質が異なり、
前記外側幌布は、前記内側幌布の全領域を覆う閉鎖位置から、前記内側幌布の全領域を開放する開放位置にまで畳むことができるようにされている、頭部保護パッド。
【請求項２】
前記内側幌布は、目の細かいメッシュ地で形成され、
前記外側幌布は、光反射性素材で形成されている、請求項１に記載の頭部保護パッド。
【請求項３】
前記内側幌布は、前記パッド本体の外側面に沿う位置にまで折畳み可能である、請求項１または２に記載の頭部保護パッド。
【請求項４】
前記幌部材は、前記パッド本体に取外し可能に取付けられている、請求項１〜３のいずれかに記載の頭部保護パッド。
【請求項５】
子供の両側頭部に沿って位置する１対の側壁および子供の頭頂部に沿って位置する頭頂部壁を有する座席本体と、
前記座席本体の上端から上方に立ち上がって延びる幌部材とを備え、
前記幌部材は、内側幌布と外側幌布とからなる２重構造を有しており、
前記内側幌布と前記外側幌布とは、材質が異なり、
前記外側幌布は、前記内側幌布の全領域を覆う閉鎖位置から、前記内側幌布の全領域を開放する開放位置にまで畳むことができるようにされている、自動車用子供座席。
【発明の詳細な説明】
【技術分野】
【０００１】
この発明は、自動車用子供座席、乳母車、ベビーラック等の育児器具の座席に取付けられる頭部保護パッドに関するものである。
【背景技術】
【０００２】
本願と同一の出願人は、乳幼児の頭部を守るための頭部保護パッドを備えた育児器具の一例として、例えば特開平１０−２２６２５２号公報（特許文献１）に自動車用子供座席を開示した。
【０００３】
上記公報に開示された頭部保護パッドは、その外面が自動車用子供座席の１対の側壁および頭頂部壁の内面に沿う形状を有している。また、頭部保護パッドの内面は、子供の頭部を囲むような形状となっている。従って、頭部保護パッドは、全体的に、逆Ｕ字状の平面形状を有している。
【特許文献１】特開平１０−２２６２５２号公報
【発明の開示】
【発明が解決しようとする課題】
【０００４】
自動車用子供座席は車の座席に設置される。紫外線を含んだ太陽光が車の窓を通過して自動車用子供座席内の子供の顔に照射されるのは好ましくない。そのため、自動車用子供座席において、太陽光が子供の顔に当たらないようにすることが望まれる。
【０００５】
また、日中に自動車用子供座席内の子供が眠っているときには、子供の顔の周囲が明るすぎるのは好ましくない。
【０００６】
上記のような状況は、乳母車内の子供や、ベビーラック内の子供に対してもあてはまる。
【０００７】
この発明の目的は、遮光機能のみならず、明るさ調節機能をも併せ持つ育児器具用の頭部保護パッドを提供することである。
【０００８】
この発明の他の目的は、遮光機能のみならず、明るさ調節機能をも併せ持つ自動車用子供座席を提供することである。
【課題を解決するための手段】
【０００９】
この発明に従った頭部保護パッドは、子供の頭部を保護するために育児器具の座席の背もたれ部上に配置されるものであって、次の特徴を備える。すなわち、頭部保護パッドは、子供の両側頭部に沿って位置する１対の側壁パッド部および子供の頭頂部に沿って位置する上壁パッド部を有するパッド本体と、パッド本体の上端から上方に立ち上がって延びる幌部材とを備える。幌部材は、内側幌布と外側幌布とからなる２重構造を有している。内側幌布と前記外側幌布とは、材質が異なる。外側幌布は、内側幌布の全領域を覆う閉鎖位置から、内側幌布の全領域を開放する開放位置にまで畳むことができるようにされている。
【００１０】
上記構成の本発明によれば、少なくとも次の３状態を実現できる。
【００１１】
（１）第１の状態
内側幌布および外側幌布の２重構造で子供の頭部上方空間を覆う状態であり、光遮蔽効果が高い。
【００１２】
（２）第２の状態
外側幌布を開放位置にまで畳み、内側幌布のみで子供の頭部上方空間を覆う状態であり、光の強さを緩和し、明るさを緩和する効果がある。
【００１３】
（３）第３の状態
内側幌布および外側幌布の両者を開放位置にまで畳み、子供の頭部上方空間を開放する状態である。
【００１４】
この発明の一実施形態では、内側幌布は、目の細かいメッシュ地で形成され、外側幌布は、光反射性素材で形成されている。
【００１５】
好ましくは、内側幌布は、パッド本体の外側面に沿う位置にまで折畳み可能である。
【００１６】
幌部材は、例えば、パッド本体に取外し可能に取付けられている。
【００１７】
この発明に従った自動車用子供座席は、子供の両側頭部に沿って位置する１対の側壁および子供の頭頂部に沿って位置する頭頂部壁を有する座席本体と、座席本体の上端から上方に立ち上がって延びる幌部材とを備える。幌部材は、内側幌布と外側幌布とからなる２重構造を有している。内側幌布と外側幌布とは、材質が異なる。外側幌布は、内側幌布の全領域を覆う閉鎖位置から、内側幌布の全領域を開放する開放位置にまで畳むことができるようにされている。
【発明を実施するための最良の形態】
【００１８】
図１および図２は、この発明の一実施形態に係る頭部保護パッドの使用状態を示している。また、図３〜図６は、頭部保護パッドを示している。図１および図２に示すように、頭部保護パッド１０は、子供の頭部を保護するために、自動車用子供座席１の背もたれ部上に配置されている。自動車用子供座席１の座席本体は、子供の両側頭部に沿って位置する１対の側壁２，３および子供の頭頂部に沿って位置する頭頂部壁４を有する。
【００１９】
図２〜図４から明らかなように、頭部保護パッド１０は、パッド本体２０と、このパッド本体２０に、例えば止めボタン３３を介して、取外し可能に取付けられた幌部材３０とを備える。パッド本体２０は、子供の両側頭部と１対の側壁２、３との間に位置する１対の側壁パッド部２１，２２と、子供の頭頂部と頭頂部壁４との間に位置する上壁パッド部２３とを有する。頭部保護パッド１０のパッド本体２０は、逆Ｕ字状の平面形状を有している。
【００２０】
幌部材３０は、パッド本体２０の上端から上方に立ち上がって延びており、内側幌布３１と、その上に重なるように配置された外側幌布３２とからなる２重構造を有している。内側幌布３１と外側幌布３２とは、材質が異なる。例えば、内側幌布３１は、目の細かいメッシュ地で形成され、外側幌布３２は、光反射性部材で形成されている。内側幌布３１の起立状態を安定に維持するために、内側幌布３１の前端縁に沿って幅方向に延びる補強線を取付けるようにしてもよい。
【００２１】
外側幌布３２は、図４に示す内側幌布３１の全領域を覆う閉鎖位置から、図５に示す内側幌布３１の全領域を開放する開放位置にまで畳むことができるようにされている。好ましくは、外側幌布３２は柔らかい素材で形成されているので、図５に示すように反転して折り返すことができる。
【００２２】
図５に示す状態から、内側幌布３１を反転して折り返し、パッド本体２０の外側面に沿う位置にまで折畳むと、図６に示すように子供の顔の上方空間は完全に開放される。
【００２３】
幌部材３０の役割は、光が子供の顔に照射するのを防ぐということのみならず、子供の顔の周囲の明るさを適度に調節するという機能も併せ持つ。このような明るさ調節機能は、幌部材３０が内側幌布３１と外側幌布３２とからなる２重構造を有していることによって実現可能となるものである。
【００２４】
図１〜図６に示した実施形態によれば、以下の状態を実現できる。
【００２５】
（１）第１の状態
内側幌布３１および外側幌布３２の２重構造で子供の顔の上方空間を覆う状態であり、光遮断効果が高い。この第１の状態は、図３および図４に示す状態である。
【００２６】
（２）第２の状態
外側幌布３２を開放位置にまで畳み、内側幌布３１のみで子供の顔の上方空間を覆う状態であり、光の強さを緩和し、適度な明るさとする機能を発揮する。この第２の状態は、図５に示す状態である。
【００２７】
（３）第３の状態
内側幌布３１および外側幌布３２の両者を開放位置にまで畳み、子供の顔の上方空間を完全に開放する状態である。この第３の状態は、図６に示す状態である。
【００２８】
図１〜図６に示した頭部保護パッド２０は、自動車用子供座席の背もたれ部に配置されるものであったが、乳母車や、ベビーラック等の座席付き育児器具の背もたれ部に取付けられる頭部保護パッドに対しても上記と同様の構造を採用できる。
【００２９】
他の実施形態として、自動車用子供座席自体に、上記と同様な構造の幌部材を設けてもよい。具体的には、自動車用子供座席は、子供の両側頭部に沿って位置する１対の側壁および子供の頭頂部に沿って位置する頭頂部壁を有する座席本体と、座席本体の上端から上方に立ち上がって延びる幌部材とを備える。幌部材は、内側幌布と外側幌布とからなる２重構造を有している。内側幌布と外側幌布とは、材質が異なる。外側幌布は、内側幌布の全領域を覆う閉鎖位置から、内側幌布の全領域を開放する開放位置にまで畳むことができるようにされている。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３１】
この発明は、育児器具の座席に配置される頭部保護パッドおよび自動車用子供座席に有利に利用され得る。
【図面の簡単な説明】
【００３２】
【図１】この発明の一実施形態に係る頭部保護パッドの使用状態を示す斜視図である。
【図２】この発明の一実施形態に係る頭部保護パッドの使用状態を示す平面図である。
【図３】頭部保護パッドの側面図である。
【図４】側方から見た頭部保護パッドの縦断面図である。
【図５】外側幌布を開放位置にまで畳んだ状態の側面図である。
【図６】内側幌布を開放位置にまで畳んだ状態の側面図である。
【符号の説明】
【００３３】
１  自動車用子供座席、２，３  側壁、４  頭頂部壁、１０  頭部保護パッド、２０  パッド本体、２１，２２  側壁パッド部、２３  上壁パッド部、３０  幌部材、３１  内側幌布、３２  外側幌布、３３  止めボタン。
【図１】
2006273256.tif 000003
【図２】
2006273256.tif 000004
【図３】
2006273256.tif 000005
【図４】
2006273256.tif 000006
【図５】
2006273256.tif 000007
【図６】
2006273256.tif 000008